(57)【要約】【課題】特に、米粒に巣食うコクゾウムシ等の貯穀害虫を選択的に根絶するのに有効な、安全で経済的な静電殺虫方法及び静電殺虫装置を提供することを課題とする。【解決手段】所定の間隔を保持して一対の金属ネット１，２が平行に対設され、前記一対の金属ネット１，２のうちの一方の金属ネット１に電圧発生器３が接続され、他方の金属ネット２は接地線４に接続され、電圧発生器３が接続された金属ネット１が、放電が発生しない最大の電圧で負に帯電されることにより、静電誘導によって他方の金属ネット２が正に帯電され、一対の金属ネット１，２間に電界が形成されるようにした。【選択図】図１
2019126301.tif 000002
【特許請求の範囲】
【請求項１】
所定の間隔を保持して平行に対設した一対の金属ネットのうちの一方の金属ネットを、放電が発生しない最大の電圧で負に帯電させることにより、他方の金属ネットとの間に電界を生じさせ、貯穀害虫を含む可能性のある穀物を前記電界中を通過させて、前記穀物中の貯穀害虫を、その表皮の導電性と前記穀物の絶縁性とにより選択的に電殺することを特徴とする静電殺虫方法。
【請求項２】
中央ネットとその両側に配置される外側ネットの３枚の金属ネットを、各ネット間に所定の間隔を保持して平行に配列し、前記中央ネットを、放電が発生しない最大の電圧で負に帯電させることにより、前記各外側ネットとの間に電界を生じさせ、貯穀害虫を含む可能性のある穀物を前記電界中を通過させて、前記穀物中の貯穀害虫を、その表皮の導電性と前記穀物の絶縁性とにより選択的に電殺することを特徴とする静電殺虫方法。
【請求項３】
所定の間隔を保持して一対の金属ネットが平行に対設され、前記一対の金属ネットのうちの一方の金属ネットに電圧発生器が接続され、他方の金属ネットは接地線に接続され、前記電圧発生器が接続された前記金属ネットが、放電が発生しない最大の電圧で負に帯電されることにより、静電誘導によって他方の金属ネットが正に帯電され、前記一対の金属ネット間に電界が形成されるようにしたことを特徴とする静電殺虫装置。
【請求項４】
前記金属ネット間の間隔は、前記金属ネットのサイズと、印加される電圧とによって決定される、請求項３に記載の静電殺虫装置。
【請求項５】
前記一対の金属ネットは、メッシュサイズ２０ｍｍメッシュ程度のステンレス鋼製である、請求項３又は４に記載の静電殺虫装置。
【請求項６】
前記一対の金属ネットのセットが１あるいは複数組水平にされて、篩構造にされた、請求項３乃至５のいずれかに記載の静電殺虫装置。
【請求項７】
中央ネットとその両側に配置される外側ネットの３枚の金属ネットが平行に配置され、前記中央ネットに電圧発生器が接続され、前記外側ネットはそれぞれ接地線に接続され、前記中央ネットが、放電が発生しない最大の電圧で負に帯電されることにより、静電誘導によって前記各外側ネットが正に帯電され、前記中央ネットと前記外側ネット間に電界が形成されるようにしたことを特徴とする静電殺虫装置。
【請求項８】
前記金属ネット間の間隔は、前記金属ネットのサイズと、印加される電圧とによって決定される、請求項７に記載の静電殺虫装置。
【請求項９】
前記３枚の金属ネットは、メッシュサイズ４メッシュ程度のステンレス鋼製である、請求項７又は８に記載の静電殺虫装置。
【請求項１０】
前記３枚の金属ネットのセットが１又は複数組水平にされて、篩構造にされた、請求項３乃至５のいずれかに記載の静電殺虫装置。
【発明の詳細な説明】
【技術分野】
【０００１】
本発明は、静電殺虫方法及び静電殺虫装置に関するものであり、より詳細には、主に貯蔵穀類、種子、及び穀物製品に巣食う貯穀害虫、とりわけ、最も破壊的な害虫であるコクゾウムシ（Sitophilus oryzae）等の害虫を選択的に殺すのに好適な静電殺虫方法及び静電殺虫装置に関するものである。
【背景技術】
【０００２】
収穫された米の貯蔵における最も深刻な問題は貯穀害虫の寄生であり、その中でも特にコクゾウムシは、エレベータ及びビンに貯蔵された穀類、種子、及び穀物製品に対する最も破壊的な害虫である。コクゾウムシの成虫は、４〜５ヶ月間生存し、雌は、この期間に３００〜４００個の卵を産む。雌は、その強力な下顎骨を用いて穀粒に穴を噛み開け、そこに卵を１個置き、ゼラチン室の液体で穴を塞ぐ。幼虫は、穀粒内で穀粒を食べて成長し、貯蔵施設内の穀物をほとんど完全に破壊してしまうこともよくある。コクゾウムシは、成虫が飛行によって分散し、寄生が近隣の区域に拡散する場合があるので始末が悪い。
【０００３】
貯穀害虫の寄生を防ぐ最良の対策は侵入の防止であり、新しい穀物の昆虫汚染のリスクを最小限に抑えるためには、新しい穀物を導入する前に適切な衛生処理を行うことが肝要である。そのため新しい穀物は、ビンに貯蔵する前に篩に掛けて、微細な物質と割れた穀粒とを排除し、且つ、貯蔵穀類を定期的に検査する必要がある。
【０００４】
しかしながら、これらの予防策にも関わらず、多くの貯蔵施設では貯穀害虫の寄生が発生することがよくあり、穀粒の最終的な薫蒸消毒は不可避である。とは言え、薫蒸剤には高い毒性があり、それらを適切に使用するためには専門的な技術知識が必要であり、また、コスト上の問題もあるため、現実には薫蒸消毒の実施は困難である。
【先行技術文献】
【特許文献】
【０００５】
【特許文献１】特開２００７−１９５４０４号公報
【発明の概要】
【発明が解決しようとする課題】
【０００６】
上述したように、穀粒の最終的な薫蒸消毒は不可避であるが、技術上の問題並びにコスト上の問題があって、実施困難というのが現状である。本発明は、かかる現状に鑑みてなされたもので、特に、米粒に巣食うコクゾウムシ等の貯穀害虫を選択的に根絶するのに有効な、安全で経済的な静電殺虫方法及び静電殺虫装置を提供することを課題とする。
【課題を解決するための手段】
【０００７】
本発明者らは、昆虫身体の高い導電率により、装置内で瞬時に発生するアーク放電によって昆虫のみが感電死するであろう、との仮説の下に鋭意研究を進めた結果、本発明を完成させるに至ったものである。
【０００８】
即ち、上記課題を解決するための請求項１に記載の発明は、所定の間隔を保持して平行に対設した一対の金属ネットのうちの一方の金属ネットを、放電が発生しない最大の電圧で負に帯電させることにより、他方の金属ネットとの間に電界を生じさせ、貯穀害虫を含む可能性のある穀物を、前記電界中を通過させて、前記穀物中の貯穀害虫を、その表皮の導電性と前記穀物の絶縁性とにより選択的に電殺することを特徴とする静電殺虫方法である。
【０００９】
上記課題を解決するための請求項２に記載の発明は、中央ネットとその両側に配置される外側ネットの３枚の金属ネットを、各ネット間に所定の間隔を保持して平行に配列し、前記中央ネットを、放電が発生しない最大の電圧で負に帯電させることにより、前記各外側ネットとの間に電界を生じさせ、貯穀害虫を含む可能性のある穀物を前記電界中を通過させて、前記穀物中の貯穀害虫を、その表皮の導電性と前記穀物の絶縁性とにより選択的に電殺することを特徴とする静電殺虫方法である。
【００１０】
上記課題を解決するための請求項３に記載の発明は、所定の間隔を保持して一対の金属ネットが平行に対設され、前記一対の金属ネットのうちの一方の金属ネットに電圧発生器が接続され、他方の金属ネットは接地線に接続され、前記電圧発生器が接続された前記金属ネットが、放電が発生しない最大の電圧で負に帯電されることにより、静電誘導によって他方の金属ネットが正に帯電され、前記一対の金属ネット間に電界が形成されるようにしたことを特徴とする静電殺虫装置である。
【００１１】
一実施形態においては、前記金属ネット間の間隔は、前記金属ネットのサイズと、印加される電圧とによって決定され、前記一対の金属ネットは、メッシュサイズ２０ｍｍメッシュ程度のステンレス鋼製とされ、また、一実施形態においては、前記一対の金属ネットのセットが１あるいは複数組水平にされて、篩構造にされる。
【００１２】
上記課題を解決するための請求項７に記載の発明は、中央ネットとその両側に配置される外側ネットの３枚の金属ネットが平行に配置され、前記中央ネットに電圧発生器が接続され、前記外側ネットはそれぞれ接地線に接続され、前記中央ネットが、放電が発生しない最大の電圧で負に帯電されることにより、静電誘導によって前記各外側ネットが正に帯電され、前記中央ネットと前記外側ネット間に電界が形成されるようにしたことを特徴とする静電殺虫装置である。
【００１３】
一実施形態においては、前記金属ネット間の間隔は、前記金属ネットのサイズと、印加される電圧とによって決定され、前記３枚の金属ネットは、メッシュサイズ４メッシュ程度のステンレス鋼製である。また、一実施形態においては、前記３枚の金属ネットのセットが１又は複数組水平にされて、篩構造にされる。
【発明の効果】
【００１４】
本発明は上記のとおりであって、所定の間隔を保持して平行に配置した金属ネットの一方あるいは中央のネットに、放電が発生しない最大の電圧で負に帯電させることにより、それに対向する金属ネットとの間に電界を生じさせ、貯穀害虫を含む可能性のある穀物をその電界中を通過させて、前記穀物中の貯穀害虫を、その表皮の導電性と前記穀物の絶縁性とにより選択的に電殺するという簡易な構成のものであり、低い消費電力で動作させて、深刻な作物被害をもたらす害虫を効果的に電殺することができるので、貯蔵作物における能率的な貯穀害虫防除に好適に使用できる効果があり、また、殺虫剤処理の必要性を排除できる効果がある。
【図面の簡単な説明】
【００１５】
【図１】本発明に係る静電殺虫装置の一実施形態の構成を示す模式図である。
【図２】本発明に係る静電殺虫装置における一対の金属ネット間に形成された電界を示す模式図である。
【図３】本発明に係る静電殺虫装置における害虫の電殺原理を示す模式図である。
【図４】異なる距離で配列された、負に帯電した金属ネットと正に帯電した接地金属ネットとの間で放電を生ずる電圧を示す図である。
【図５】本発明に係る静電殺虫装置の他の実施形態の構成を示す模式図である。
【発明を実施するための形態】
【００１６】
以下に、本発明を実施するため形態について、添付図面を参照しつつ詳細に説明する。本発明に係る静電殺虫方法の第１の実施形態は、所定の間隔を保持して平行に対設した一対の金属ネットのうちの一方の金属ネットを、放電が発生しない最大の電圧で負に帯電させることにより、他方の金属ネットとの間に電界を生じさせ、貯穀害虫を含む可能性のある穀物を、前記電界中を通過させることにより、穀物中の貯穀害虫を、その表皮の導電性を利用して選択的に電殺することを特徴とするものである。
【００１７】
また、本発明に係る静電殺虫方法の第２の実施形態は、中央ネットとその両側に配置される外側ネットの３枚の金属ネットを、各ネット間に所定の間隔を保持して平行に配列し、前記中央ネットを、放電が発生しない最大の電圧で負に帯電させることにより、前記各外側ネットとの間に電界を生じさせ、貯穀害虫を含む可能性のある穀物を前記電界中を通過させて、穀物中の貯穀害虫を、その表皮の導電性と前記穀物の絶縁性とにより選択的に電殺することを特徴とするものである。
【００１８】
図１は、上記第１の方法を実施するための第１の静電殺虫装置の概略構成を示す模式図で、そこに示されるように本装置は、所定の間隔を保持して一対のステンレス鋼等の金属ネット１，２が平行に対設され、その一対の金属ネット１，２のうちの一方の金属ネット１にＤＣ電圧発生器３が接続され、他方の金属ネット２は接地線４に接続されて構成される。金属ネット１，２のメッシュサイズは、例えば、２０ｍｍメッシュとされる。
【００１９】
ＤＣ電圧発生器３が接続される金属ネット１は、放電が発生しない最大の電圧で負に帯電され、それに伴う静電誘導によって他方の金属ネット２は正に帯電し、両ネット１，２間に電界が生ずる（図２参照）。金属ネット１と金属ネット２の間の電極間距離は、金属ネット１，２のサイズと、印加される電圧とによって決定され（一例を挙げれば、後述するように、９０×２５ｃｍのものを１０ｍｍの距離に配置し、９.１ｋＶで帯電させる。）、その電極間距離を保持させるために、金属ネット１，２間に、その距離に対応する厚さのポリプロピレン等の絶縁材製スペーサ５が挟み込まれる。また、金属ネット１，２の外側に、穀粒がメッシュを通して、あるいは、側縁から飛び出るのを防止するために、ポリプロピレン等の絶縁材製カバー６，７が配置される。
【００２０】
上記構成の殺虫装置は、金属ネット１を放電が発生しない最大の電圧で負に帯電させ、静電誘導によって金属ネット２を正に帯電させて両ネット１，２間に電界を生じさせた状態において、両ネット１，２間、換言すれば、電界中に穀物を投入することにより、貯穀害虫（昆虫）の電殺が可能となる。即ち、昆虫の表皮は高い導電率を有し、一方、穀粒は絶縁物であるため、電界内において昆虫は、金属ネット１からのアーク放電による瞬時の過渡電流を選択的に受けて、電界から弾き飛ばされて電殺される。
【００２１】
図５は、上記第２の方法を実施するための第２の静電殺虫装置の概略構成を示す模式図で、そこに示されるように本装置は、所定の間隔を保持して３枚のステンレス鋼等の金属ネット１，２，９が平行に対設され、その内の中央に位置する中央ネット１にＤＣ電圧発生器３が接続され、その外側の外側ネット２，９は接地線４に接続されて構成される。この第２の装置は、上記第１の装置が２枚の金属ネット１，２で構成されるのに対し、３枚の金属ネット１，２，９で構成するようにしたもので、基本的構成は変わりがない。
【００２２】
即ち、ＤＣ電圧発生器３が接続される中央ネット１は、放電が発生しない最大の電圧で負に帯電され、それに伴う静電誘導によって両側の外側ネット２，９が正に帯電し、中央ネット１と外側ネット２間、並びに、中央ネット１と外側ネット９間のそれぞれに電界が生ずる（図６参照）。各ネット１，２，９間の電極間距離は、各ネット１，２，９のサイズと、印加される電圧とによって決定されることは第１の装置の場合と同じであり、また、各ネット１，２，９のメッシュサイズは、米粒が通過できる大きさの４メッシュ程度とされる。
【００２３】
図５に示す第２の装置においては、各ネット１，２，９が水平にされて、枠１０内に収められた篩構造とされている。この場合、３枚のネット１，２，９から成るセットを１組、あるいは、複数組み積層した多層構造にすることができる。上記第１の装置の場合にも、一対のネット１，２から成るセットを１組、あるいは、複数組み積層した多層構造にすることができる。なお、第１の装置におけるネット１，２は方形に表現されているが、この篩構造にする場合は、図５に示されるように円形にすることが好ましい。
【００２４】
上記構成の殺虫装置は、金属ネット１を放電が発生しない最大の電圧で負に帯電させることによって、ネット１，２間（並びにネット１，９間）に電界を生じさせた状態において、電界中に穀物を投入することにより、穀物中の害虫（昆虫）の電殺が可能となる。即ち、昆虫の表皮は高い導電率を有し、一方、穀粒は絶縁物であるため、電界内において昆虫は、金属ネット１からのアーク放電による瞬時の過渡電流を選択的に受けて、電界から弾き飛ばされて電殺される。
【００２５】
本発明者らは、本方法及び本装置の有効性を確認するため、本装置に対して昆虫単独、並びに、昆虫と穀類との組合せにて、以下の通りの殺虫効果確認試験を行い、次いで、最も適切な電極間距離及び印加電圧を求めることによって、本装置の構成の最適化を試みた。
【００２６】
使用昆虫
この試験においては、貯穀害虫としてコクゾウムシ（S. oryzae）を用いた。コクゾウムシの幼虫は、本願出願人の研究所の保存培養株から入手し、グロースチャンバー内で、２５±２°Ｃ及び相対湿度（ＲＨ）６０±５％で羽化するまで飼育した。コクゾウムシの成虫は、昆虫吸引器を用いて集め、プラスチックの容器（直径２０ｃｍ、高さ１０ｃｍ）内の米粒群上で、同じ条件下で飼育した。コクゾウムシの成虫の平均的な体寸法（２０匹の成虫における頭から翅先端までの平均長さ）は、２.５６±０.２８ｍｍであった。
【００２７】
試験装置及び実験内容
第１の実験では、１０×２５ｃｍで２０ｍｍメッシュのステンレス鋼製の２枚の金属ネット１，２を用意し、これらを５〜１０ｍｍの距離で平行に配列し、各距離に対して金属ネット１を１〜１０ｋＶで、且つ、異なるＲＨ条件（３０％、６５％、及び９０％）下で負に帯電させた（この試験装置は、上記第１の装置に対応するものである。）。付設した検流計８により、連続電流を測定して、金属ネット１から放電を生ずる最低電圧を求めた。
【００２８】
第２の実験では、上記各ネット間距離において放電を生じない最高電圧で金属ネット１を負に帯電させ、昆虫吸入器を用いて金属ネット１，２間にコクゾウムシの成虫を吹き込んだ。検流計８により、昆虫媒介による放電（アーク放電）を過渡電流として記録し、昆虫が電界を通過した後、それらの死亡率及び四肢の切断状況を調べた。この実験においては、極間距離と試験電圧の各組合せに対して２０匹の成虫を用いた。
【００２９】
次いで、コクゾウムシの成虫を米粒群と混合し（米粒群１００ｇ当たり１０、５０、及び１００匹の昆虫）、この混合物を金属ネット１，２間に導入して、死んだ昆虫と四肢を切断された昆虫との比を求めた。これらの試験装置は、２０℃及びＲＨ４０％に維持した部屋で行った。実験は３回行い、データを平均及び標準偏差（ＳＤ）として示した。処理間の有意差をテューキーの方法を用いて求めた。
【００３０】
第３の実験では、スケールアップのため、より大きなステンレス鋼のネット（９０×２５ｃｍ）を用い、それらを１０ｍｍの距離で、同じ電圧発生器３で９.１ｋＶで帯電させて、本発明の実用性を調べた。バッグ内の害虫寄生の米粒群を、昆虫の数を数えた後に装置内に導入し、本方法による害虫根絶の有効性を正確に評価した。
【００３１】
結果及び検討
上記第１の実験においては、各電極間距離で、且つ、異なるＲＨ条件下で金属ネット１から放電（電子の放出）を生ずる電圧を求めた。図４は、電極間距離と印加電圧との間の関係を示すグラフである。グラフ中の各３本の下向き矢印は、それぞれ左から右に、相対湿度（ＲＨ）９０、６５、及び４０％の条件下において放電を生ずる最低電圧を指し示している。これらのデータから、各電極間距離について、放電を生ずる電圧と放電を生じない電圧との境界を読み取ることができる。ＲＨが変化した場合は、電極間距離と使用電圧についての最適な条件をこれらのデータに従ってリセットすることができる。
【００３２】
以下の実験では、ネット１，２間の距離を固定し、放電を生じない最高電圧を加えて導体を導入したが、該導体は、その容量に従って、電気（自由電子）をネット１，２間の空間に伝達するものであった。本発明者らの仮説は、この導体材料は、金属ネット１からの電子の一時的な受容体として、また、電極間距離の短縮によって、他方の金属ネット２への電子の提供体として働き得る、ということであった。この仮説確認の目的のために、昆虫は格好な生物導体であった（図３参照）。表皮、即ち、多くの無脊椎動物の身体を被覆している外側の保護層は、その高い導電率によって能率的に帯電されることが、これまでの多くの研究において報告されており、コクゾウムシの成虫も、この表皮構造を有している。
【００３３】
第２の実験では、上記仮説の妥当性を判定するための試験を行った。表１は、電極間距離と電圧とのいくつかの組合せ（即ち、ある一定の距離における最高の非放電電圧）、電界に導入されたコクゾウムシの成虫の生存率（死亡率）、及び、瞬時過渡電流の大きさを記録したものである。
【００３４】
≪表１≫
2019126301.tif 000003
【００３５】
この実験において昆虫がひとたび導入されると、電子が瞬時に、金属ネット１側から金属ネット２側の大地に、昆虫を介して移動した。この電子移動は、２つの検流計８によって同じ大きさの過渡電流として同時に記録された。この電流によって、昆虫は、下側の出口に向けて弾き出された。試験された電極間距離と電圧とのどの組合せでも、導入された昆虫は全て電殺された（表１）。過渡電流の大きさ及び昆虫への衝撃は、印加電圧と共に増大した。昆虫に対する衝撃の増大は、四肢を切断された昆虫の数の増大から明らかであった。
【００３６】
これらの結果から、本発明の有効性を十分に確認することができ、また、その結果は、本発明に係る方法及び装置が、貯穀害虫の直接的な根絶に適用できることを示すものであると言うことができる。
【００３７】
引き続きの実験で、米粒群のみを試験装置の電界内に導入し、以前に適用したいずれの電極間距離と電圧との組合せにおいても、電流が発生しないことを確認した。この実験においては、米粒の体積又は表面抵抗率を測定していないが、この結果は、米粒は絶縁性が高く、従って、米粒群に混合した昆虫のみが、それらの表皮の高い導電率によって、選択的に電子による衝撃を受けることになることを示唆している。
【００３８】
次いで、米粒群とコクゾウムシの成虫との混合物を用いて、昆虫根絶の確認試験を行った。表２は、この試験における昆虫の死亡率と四肢の切断率を示す。
【００３９】
≪表２≫
2019126301.tif 000004
【００４０】
この混合物の場合、昆虫は、電極間距離と電圧とのどの組合せでも、選択的に電子による衝撃を受け、事実、検流計８は、導入された昆虫の数と同じ数の過渡電流を記録した。結果として、昆虫の米粒群内の密度とは無関係に、全ての昆虫が殺された（表２）。電界を通過する昆虫の電殺においては、全ての間隔及び充電処理が等しく効果的であり、且つ、四肢の切断は、電圧の増大につれて、ますます激しくなることが理解される。これらの結果は、第２の実験結果と全く同じであり、昆虫をターゲットにした選択的な電子移動は、サンプル内の米粒群の存在によって邪魔されないことを示している。
【００４１】
以上の実験の結果に基づいて、本発明に係る方法を、貯穀害虫による汚染のために正規の検査で不合格となった商業用の袋入りの米（２０ｋｇ）に巣食うコクゾウムシの根絶に適用することができた。この方法では、最大の電極間距離（１０ｍｍ）を有する、より大きなステンレス鋼のネット１，２と最高電圧（９.１ｋＶ）とを用いて、米粒群処理能力を高めた。その結果、各袋内の全ての米粒を短時間（１０〜１１分）内で処理し、全ての昆虫を跡形も無く始末することができた。これらの結果から、本発明の最も効果的、実用的な適用例として、本装置を、無害虫の袋入り米を調製するための精米工程と包装工程との間のラインに組み込むことを挙げることができる。
【００４２】
理論的には、本発明に係る方法は、導電性のクチクラ層を有する全ての害虫に適用でき、少なくとも、タバコシバンムシ（Lasioderma serricorne）、コクヌストモドキ（Tribolium castaneum）、及び、アズキゾウムシ（Callosobruchus chin）等の貯穀害虫の防除に対して有効に適用できることが確認された。
【００４３】
以上、第１の装置に対応する試験装置による試験結果について述べてきたが、第２の装置の場合にも同様の結果が得られるものと考えられる。本発明に係る方法及び装置は、主に、貯穀害虫が混入している可能性のある穀物の処理用に開発されたものであり、その処理のためには、穀物を上方から落とし込んで本装置を通過させる方法が最も適している。そのため、本装置は、篩構造とすることが推奨される。
【産業上の利用可能性】
【００４４】
本発明に係る方法及び装置は、上述したように、所定の間隔を保持して平行に対設した一対の金属ネットのうちの一方の金属ネットを、放電が発生しない最大の電圧で負に帯電させることにより、他方の金属ネットとの間に電界を生じさせ、貯穀害虫を含む可能性のある穀物を前記電界中を通過させて、前記貯穀害虫を、その表皮の誘電性と前記穀物の絶縁性とにより選択的に電殺するという簡易な構成のものであり、低い消費電力で動作させて、深刻な作物被害をもたらす貯穀害虫を効果的に電殺することができるので、貯蔵作物における能率的な貯穀害虫防除に好適に使用でき、殺虫剤処理の必要性を排除できるものであり、その産業上の利用可能性は極めて大である。
【符号の説明】
【００４５】
１，２，９          金属ネット
３                  電圧発生器
４                  接地線
５                  スペーサ
６，７              カバー
８                  検流計
１０                枠
【図１】
2019126301.tif 000005
【図２】
2019126301.tif 000006
【図３】
2019126301.tif 000007
【図４】
2019126301.tif 000008
【図５】
2019126301.tif 000009